(57)【特許請求の範囲】
【請求項１】
拡張スリーブ付きナットの拡張スリーブを板部材の孔に嵌込んでこの拡張スリーブの中にナットを打込  むことにより板部材の孔にナットを固定するためのナット打込機であって；
拡張スリーブを板部材に押付ける押え部材を先端に有する管状の打込本体と；
前記打込本体に基端側から直線往復動可能に挿入された手動のナット打込み用の打込棒材と；
先端が前記打込本体の先端部に接続連通され拡張スリーブ付きナットの複数個を一列に装入するマガジンと；
前記マガジンの先端部に設けられて拡張スリーブ付きナットの一個を通過させる送り部材と；
を具えたことを特徴とするナット打込機。
【請求項２】
請求項１記載の構成に加えて、前記打込棒材に係脱可能であって前記打込棒材を前記ナットを打込んだ最大前進位置よりも後退した位置に保持するストッパを前記打込本体に具えたことを特徴とするナット打込機。
【発明の詳細な説明】
【０００１】
【産業上の利用分野】
本発明は板部材に設けた孔にナットを打込み固定する手動のナット打込機に関するものである。
【０００２】
【従来の技術】
例えば建築物において、デッキプレートとその上に打設したコンクリートとによって構成した床に空調ダクトや下層階の天井などの器材、内装材を吊下げることは周知である。
【０００３】
この場合、デッキプレートを隙間なく敷き並べてその所要個所に設けた孔に袋状のナットを下向きに打込み、吊下げ用ボルトをねじ込む方式によるときは、ナットを安定よく固定するとともに水密効果を高めるために合成樹脂製の拡張スリーブを用いるのが普通である。
【０００４】
即ち、例えば図４に示すように基端に皿状の頭部５２を有する円柱状のナット本体５３に基端から適宜深さのめねじ孔５４を設けたナット５１と、先端にフランジ５６を有する円筒状のスリーブ本体５７のフランジ５６よりも先端側に内径が先端へ向かって次第に小さくなる複数の脚片５７を円状に配置突設した拡張スリーブ５５とからなり、ナット本体５３をスリーブ本体５７に密に嵌込んだものであって、脚片５７をデッキプレートの孔に嵌込んでナット５１を打込むことにより脚片５７が拡張させられフランジ５６と協働してデッキプレートを挟むことによって拡張スリーブ５５が水密に固定され、ナット５１は拡張スリーブ５５に嵌込まれて安定よく固定される。
【０００５】
このような拡張スリーブ付きナットは器材や内装材の吊下げのため多数個使用されるので、作業者が手で拡張スリーブを穴に嵌込みハンマなどでナットを打込む作業を身体を大きく曲げ或いはしゃがみこむ動作を繰返しながら行なうと非能率であるばかりか著しい疲労を招く。
【０００６】
一方、拡張スリーブ付きナットを先端に装着して穴に嵌込み動力で打込む動力打込工具が一部で利用されているが、著しい疲労を招くことなく多数個を固定できる反面、拡張スリーブ付きナットを別に所持して打込みの都度工具の先端に装着しなければならず面倒であり、また広大な面積に亘って移動できるように動力源である電力や流体圧を供給する電線やホースを長大化するとその取扱いがきわめて厄介であるばかりか、動力源が得られない場所では使用不可能である。
【０００７】
【発明が解決しようとする課題】
本発明が解決しようとする課題は、拡張スリーブ付きナットの拡張スリーブを板部材の孔に嵌込んでこの拡張スリーブの中にナットを打込むことにより板部材の孔にナットを固定するにあたって、多数個を著しい疲労を招くことなく任意の場所で簡単に固定することができる手段がなかった、という点である。
【０００８】
【課題を解決するための手段】
前記課題を解決するために、本発明は拡張スリーブを板部材に押付ける押え部材を先端に有する管状の打込本体と、この打込本体に基端側から直線往復動可能に挿入された手動のナット打込み用の打込棒材と、先端が打込本体の先端部に接続連通され拡張スリーブ付きナットの複数個を一列に装入するマガジンと、このマガジンの先端部に設けられて拡張スリーブ付きナットの一個を通過させる送り部材とを具えさせ、更にこの構成に加えて打込棒材に係脱可能であって打込棒材をナットに打込んだ最大前進位置よりも後退した位置に保持するストッパを打込本体に具えさせた。これらの手段によって拡張スリーブ付きナットの多数個を著しい疲労を招くことなく任意の場所で簡単に固定する、という目的が達成される。
【０００９】
【作用】
打込棒材を基端側へ引いて送り部材を操作してマガジンの拡張スリーブ付きナットの一個を打込本体の先端に送り出す。次に、打込棒材を前進させ板部材の孔に拡張スリーブを嵌込んで押え部材により板部材に押付けた状態とし、打込棒材を大きく後退させストッパを具えているときはこれを待避させて強く押し、ナットを打込むものである。
【００１０】
【実施例】
図面を参照して本発明の実施例を説明すると、二本の互いにほぼ同長のパイプからなる打込本体１とマガジン２とが連結具３により互いに平行に連結配置されているとともに、それらの先端に打込誘導体４が管接手５、６によって接続されている。
【００１１】
即ち、連結具３は打込本体１とマガジン２とをそれぞれ抱持した切欠環状の抱持片３ａ、３ｂとそれらの連結片３ｃとからなり、打込誘導体４は打込本体１と同一軸線上の本体先端部４ａとマガジン２の先端から斜めに延び本体先端部４ａの中央部に連通した誘導部４ｂとからなるものである。
【００１２】
打込本体１には丸棒状の打込棒材７が基端から挿入されており、最も深く挿入したとき先端が本体先端部４ａの先端から少し突出する長さを有するとともに基端に握柄８が取付けられている。そして、打込本体１の基端部に角棒状のストッパ９がピン１０により回動可能に取付けられており、その基端が握柄８の先端面に係合するようにばね１１によって回動力が与えられ打込棒材７を最も深く挿入したときよりも少し後退した位置に保持する。
【００１３】
また、マガジン２の管壁先端部には軸線方向へ延びる溝孔からなる開口１２が設けられており、正面コ形の送り部材１３の中央部がマガジン２に取付けた支持具１４にピン１５により回動可能に取付けられており、送り部材１３の先端側の突片１３ａと後端側の突片１３ｂとが開口１２からマガジン２の内部に交互に突出する構成とされている。支持具１４はマガジン２に嵌装した環状の抱持片１４ａと送り部材１３を挟んでピン１５を支持した互いに平行な軸支部１４ｂとからなるものである。
【００１４】
前記の送り部材１３には金属線条などからなる操作部材１６の先端が連結してあり、この操作部材１６はマガジン２に設けた案内１７を貫通してマガジン２の基端部に達している。
【００１５】
更に、本体先端部４ａの先端には押え部材１８が設けられている。即ち、この押え部材１８はヘ形の爪片１８ａの複数個を円周方向等間隔且つ先端部を本体先端部４ａの先端面から前方へ突出させて配置し、これらの爪片１８ａを本体先端部４ａに放射方向へ突設したボルトからなる案内軸１８ｂおよび制限軸１８ｃに緩く嵌装するとともに、これらの軸１８ｂ、１８ｃの間の部分をＯ・リングからなる弾性ある押え部片１８ｅで押え、且つ制限軸１８ｃのボルト頭とナットからなるストッパ１８ｄの間で爪片１８ａを放射方向へ可動とした構成である。
【００１６】
このように構成した本実施例は、送り部材１３の先端側の突片１３ａをマガジン２の内部に突出させた状態で図４に示すような拡張スリーブ付きナット５０の適宜数をマガジン２に基端から一列に装入し、打込棒材７の握柄８にストッパ９を係合した状態で作業場所に携帯する。
【００１７】
操作部材１６を引き、先端側の突片１３ａをマガジン２の内部から抜出す方向へ送り部材１３を回動することにより、突片１３ａに係合していた先頭の拡張スリーブ付きナット５０を誘導部４ｂへ送り出すと同時に、更に操作部材１６を引いて基端側の突片１３ｂをマガジン２の内部へ突出させて次の拡張スリーブ付きナット５０の前進を阻止させる。
【００１８】
次に、打込棒材７を少し基端側へ引いてその先端を誘導部４ｂの接続個所よりも基端側へ移動させると、誘導部４ｂに送り出されていた拡張スリーブ付きナット５０が本体先端部４ａに入るので、打込棒材７を再びストッパ９に衝るまで前進させ拡張スリーブ付きナット５０の一部を本体先端部４ａから突出させる。このとき、押え部材１８の爪片１８ａは拡げられてフランジ５６を通過させスリーブ本体５７の外側周面に接する。
【００１９】
ここで、板部材６１の孔６２に脚片５８に密に嵌込んで打込本体１を板部材６１に向かって押付けると、脚片５８がフランジ５６を板部材６１の表面に押付け固定状態とする（図５のＡ参照）。この状態となったとき、ストッパ９をばね１１の弾性力にうち勝って回動し握柄８から離脱させ、打込棒材７を大きく後退させてから握柄８が打込本体１に衝るまで強く押す。これによりナット５１が拡張スリーブ５５に打込まれて頭部５２がスリーブ本体５７に重なり、脚片５８がナット本体５３によって押拡げられてこの拡張された脚片５８とフランジ５６とが板部材６１を挟むことにより拡張スリーブ５５が水密に固定され、ナット５１は先端を脚片５８から突出させて拡張スリーブ５５に嵌込まれ安定よく固定されることとなる（図５のＢ参照）。
【００２０】
このようにして打込みを終ったとき打込本体１を板部材６１から離して次の打込み作業場所へ移動する。マガジン２の拡張スリーブ付きナット５０は、適宜の時点で操作部材１６を押し送り部材１３を回動して先端側の突片１３ａをマガジン２の内部に突出させることによってほぼ一個分の距離だけ前進し、次の打込みに備える。
【００２１】
尚、図示実施例のように打込本体１とマガジン２とをほぼ同長とし互いに接近させて平行に配置すると操作が便利であるが、必ずしも平行でなくてもよい。
【００２２】
【発明の効果】
以上のように本発明によると、拡張スリーブ付きナットをマガジンに一列に装入して打込本体の先端部に一個ずつ送り出して板部材の孔に嵌込むとともに押え部材によって拡張スリーブを板部材に押付け、打込本体に挿入した打込棒材を手動で押しナットを打込む構成であるから、打込本体を適当な長さとすることにより作業者が身体を大きく曲げたりしゃがみ込む動作を繰返す必要がなくなり、ほぼ直立の姿勢のままナットを打込み固定できるものであり、多数個のナットを著しい疲労を招くことなく且つ動力源が得られない任意の場所で簡単に固定することができるものである。
【００２３】
また、打込棒材のストッパを具えたときは誤ってナットを押す誤動作が防止され、打込み固定作業の正確を期することができるものである。
【図面の簡単な説明】
【図１】本発明の実施例を示す縦断面図である。
【図２】図１のＸ−Ｘ線に沿う拡大断面図である。
【図３】図１のＹ−Ｙ線に沿う拡大断面図である。
【図４】拡張スリーブ付きナットの縦断面図である。
【図５】ナット打込みの状況を説明する縦断面図である。
【符号の説明】
１  打込本体、２  マガジン、４  打込誘導体、４ａ  本体先端部、７  打込棒材、９  ストッパ、１３  送り部材、１８  押え部材、
【図１】
0003541298.tif 000002
【図２】
0003541298.tif 000003
【図３】
0003541298.tif 000004
【図４】
0003541298.tif 000005
【図５】
0003541298.tif 000006